(57)【要約】      （修正有）【課題】ベルトからバックルを取り外すことなく、ベルトの一端を取付ける軸部にベルトを枢着された状態のままで操作でき、ベルト及びバックルともリバーシブルとして表裏両面を使うことが出来る合理性に優れたバックルを提供する。【解決手段】ベルトの一端を取付ける軸部を備えた枠体１１とピン３の長さを、ピン３の貫通穴を８の字状にすることで該８の字状貫通穴を軸部中央の切り込み案内係合部と角度をあわせ垂直に移動できるようにし軸部からピン先端部までの距離を短くすることで、ピンが枠体の内側を通り裏側に移動でき、ベルト及びバックルの裏面の使用が可能となる。【選択図】図１
0003176745.tif 000002
【実用新案登録請求の範囲】
【請求項１】
切り込み案内係合部のある軸部を枠体の中央もしくは一辺に備えた枠体と、ベルトの一端を取り付ける該軸部に回動可能に取り付けられた８の字状貫通穴を設けたピンから構成され、枠体に架かるピンの長さを、軸部を通す貫通穴の形状を８の字状にすることで軸部中央の垂直方向の切り込み案内係合部と８の字状貫通穴狭部を合わせる事により、ピンを長手方向に移動させ枠体内側で回転させることにより裏側に移動できる事を特徴とするりバーシブルバックル。
【請求項２】
ベルトの一端を取り付ける軸部を備えた枠体は、リバーシブル利用を前提とした表裏両面の形状もしくは模様などによる差異があることをデザイン的特徴とした請求項１記載のリバーシブルバックル。
【考案の詳細な説明】
【技術分野】
【０００１】  本考案はリバーシブルベルト用に使用されるリバーシブルバックルに関するものである。
【背景技術】
【０００２】  本来リバーシブルベルトの使用方法は、リバーシブルデザインされたベルトの両面を使うことを前提とされており、バックルについてはリバーシブルベルト用の物でもバックルの片面しか使うことが考慮されていない。
【先行技術文献】
【特許文献】
【０００３】
【特許文献１】特開２００２−１０８０３公報
【特許文献２】特開平１０−１７４６０５公報
【考案の概要】
【考案が解決しようとする課題】
【０００４】  バックルのリバーシブル化を妨げている要因は、ベルトの止孔に挿通されるピンがベルトの一端を取付ける軸部に回動可能に取付けられ、該軸部の反対側の枠に該ピンの先端部分が架かりベルトを係止する構造であり、該ピンは枠体のベルト方向の内寸よりも長くなっているため反対面に移動させることが出来ないことによる。【０００５】  この問題を解決する為には特開平１０−１７４６０５のようにピン内部にバネを設けピンの長さを変更可能とする方法なども考えられるが、コストや作業性に問題があると思われる。
【課題を解決するための手段】
【０００６】  本考案は、ベルトの一端を取り付ける切り込み案内係合部のある軸部を備えた枠体と、該軸部に回動可能に取り付けられた８の字状貫通穴を開けたピンから構成され、該８の字状貫通穴の角度を切り込み案内係合部方向に合わせる事でピンが長手方向に移動できることで軸部とピン先の距離をかえることが可能となり、ピンを枠体内側で裏側に移動できる事を特徴とし、ベルトの一端を取り付ける軸部は枠体中央もしくは枠体の一辺に位置する事を特徴としたリバーシブルバックルを解決手段とする。【０００７】  ベルトの一端を取り付ける軸部を備えた枠体は、リバーシブル利用を前提とした表裏両面の形状もしくは模様などによる差異があることをデザイン的特徴としたリバーシブルバックルを解決手段とする。
【考案の効果】
【０００８】  本考案はベルトからバックルを取り外すことなく、ベルトの一端を取付ける軸部にベルトを枢着された状態のままで操作でき、ベルト及びバックルともリバーシブルとして表裏両面を使うことが出来る合理性に優れたバックルである【０００９】  本考案は、枠体、中央の垂直方向の切り込み案内係合部のある軸部、該軸部を通す８字状の貫通穴を備えたピンからなり、使用部品数を少なくし安価で生産することを可能とする。
【図面の簡単な説明】
【００１０】
【図１】本考案の実施形態を示す概略説明図であり、（ａ）はリバーシブルバックル表面とベルト表面、（ｂ）はリバーシブルバックル裏面とベルト裏面の実施例である。
【図２】本考案のリバーシブルバックル表面斜視図である。
【図３】本考案のリバーシブルバックル組立分解図である。
【図４】本考案のリバーシブルバックルＡ−Ａ断面図である
【図５】本考案の操作手順説明図。ピンを裏面に移動させる操作手順の説明図であり、ピンを垂直状態に起こした状態を示している。
【図６】本考案の操作手順説明図。ピンを裏面に移動させる操作手順の図５に続く説明図であり、ピンを垂直方向に押し込んだ状態を示している。
【図７】本考案の操作手順説明図。ピンを裏面に移動させる操作手順の図６に続く説明図であり、ピンを回動させてバックル裏面に移動させた状態を示している。
【図８】本考案の操作手順説明図。ピンを裏面に移動させる操作手順の図７に続く説明図であり、ピンを使用状態の位置に戻した状態を示している。
【図９】本考案の操作手順説明図。ピンが裏面に移動した図８に続く説明図であり、ピンが枠体裏面に架かった状態の説明図である。
【考案を実施するための形態】
【００１１】  以下、本考案を図面に基づき説明する（本質的にはリバーシブルは両面が表と捉えられるが本説明ではリバーシブルバックル及びリバーシブルベルトを表面と裏面と表す）。
【００１２】  図１は、本考案の実施形態を示す概略説明図である。
図１（ａ）は本考案のリバーシブルバックル表面１２においてリバーシブルベルト表面２を設定した実施例を示す斜視図である。図４−図９において操作方法を説明するが、ピン３をリバーシブルバックル表面１２からにリバーシブルバックル裏面１３に移動させることにより、（ｂ）のリバーシブルバックル裏面１３にリバーシブルベルト裏面２１を設定することが出来るようになる実施例を示す斜視図である。
【００１３】  図２は、リバーシブルバックル１の表面斜視図であり、ピン３の８の字状貫通穴３２の使用時側３２１に軸部４が挿通され、ピン先端部３１が枠体１１に架かった状態を示している。
【００１４】  図３は、リバーシブルバックルバックル１の組立分解図である。
枠体１１と８の字状貫通穴を備えたピン３及び、切り込み案内係合部４１を備えた軸部４から構成される。枠体１１にはベルト方向中央部に軸部４の両端溝に対応する嵌合片１６及び軸部を固定する芯１７を打ち込む芯穴１５が備えられており、ピン３の８の字状貫通穴３２は使用時側３２１ピン先端側３２２が開けられており２つの穴は狭部３２３で繋がった状態で構成されている。軸部４は両端溝４２と垂直方向に対応し中央部に設けられた切り込み案内係合部４１とからなり、ピン３の８の字状貫通穴使用時側３２１に該軸部を挿通させ、前記枠体１１の嵌合片１６に両端溝４２を嵌め込み枠体１１にあけられた芯穴１５を貫通させた芯１７で軸部４の芯受け穴４３によって軸止される。
【００１５】  本考案のリバースするときの操作方法を図４−図９で説明する。
図４は、図２のＡ−Ａ断面図により枠体１１と軸部４とピン３の基準位置関係を示しており、使用状態では軸部４はピン３の８の字状貫通穴使用時側３２１にあり、ピン先端部３１は枠体１１に架かっている。この状態からピンを垂直方向Ｑ１方向に回動させ８の字状貫通穴狭部３２３と、該狭部３２３内径に対応した軸部４の切り込み案内係合部４１の角度を合わせる。
【００１６】  図５は、図４に続きピン３を垂直方向Ｑ２に押し下げ、切り込み案内係合部４１を８の字状貫通穴先端部側３２２に移動させる。
【００１７】  図６は、図５の操作により枠体１１の内径より短くなったピン３をＱ３方向に回動させ、リバーシブル裏面１３に移動させる。
【００１８】  図７は、図６に続き８の字状貫通穴先端部側３２２にある軸部４の切り込み案内係合部４１をＱ４方向に押し下げ８の字状貫通穴使用時側３２１に戻すことによりピン３は枠体１１の内径よりも長くなる。
【００１９】  図８においてピン３を枠体１１に掛かるようにＱ５方向に回動させる。
【００２０】  図９のようにピン３はリバーシブルバックル裏面１３に移動したことになる。
【００２１】  リバーシブルバックル１のピン３を枠体１１内側にて移動させることによりリバーシブルバックル１の両面の利用及び、リバーシブルベルト表面２及びリバーシブルベルト裏面２１を枠体内側にて移動させることによりリバーシブルベルトの両面を利用することが出来るため、それぞれを組み合わせる事により一本のベルトの４通りの使い方が可能となる。
【００２２】  本考案のリバーシブルバックル１は枠体１１、切り込み案内係合部を中央に備えた軸部４、該軸部を通す８字状の貫通穴を開けたピン３からなり、使用部品数を少なくし安価で生産することを可能としている。
【００２３】  本考案は前記のようなリバーシブルベルトの使用方法を鑑み考案されたものであるから、ベルトの一端を取り付ける軸部を備えた枠体のバックルの軸部に切り込み案内係合部、ピンに８の字状貫通穴を設けることにより前記操作手順によりリバーシブルバックルとして機能させる事が出来る事から、ベルトの一端を取り付ける軸部は枠体中央に限らず枠体のいずれか一辺に軸部を備えたものも含まれる。
【００２４】  前記のように本考案はベルトからバックルを取り外すことなく、ベルトの一端を取付ける軸部にリバーシブルベルトを枢着した状態のままで操作でき、リバーシブルベルト、リバーシブルバックルとも表裏両面を使うことが出来る合理性に優れたバックル及びベルトである。
【産業上の利用可能性】
【００２５】  バックル自体にリバーシブル性を持たせることが出来るようになり、リバーシブルバックル及びリバーシブルベルトの組み合わせ等の商品デザインの巾が広がる可能性を有する。
【符号の説明】
【００２６】１      リバーシブルバックル
１１    枠体
１２    リバーシブルバックル表面
１３    リバーシブルバックル裏面
１４    リバーシブルバックル裏面デザイン例部分
１５    芯穴
１６    嵌合片
１７    芯
２      リバーシブルベルト表面
２１    リバーシブルベルト裏面
３      ピン
３１    ピン先端部
３２    ８の字状貫通穴
３２１  ８の字状貫通穴使用時側
３２２  ８の字状貫通穴ピン先端部側
３２３  ８の字状貫通穴狭部
４      軸部
４１    軸部切り込み案内係合部
４２    軸部両端溝
４３    芯受け穴
Ｑ１    操作方向
Ｑ２    操作方向
Ｑ３    操作方向
Ｑ４    操作方向
Ｑ５    操作方向
【図１】
0003176745.tif 000003
【図２】
0003176745.tif 000004
【図３】
0003176745.tif 000005
【図４】
0003176745.tif 000006
【図５】
0003176745.tif 000007
【図６】
0003176745.tif 000008
【図７】
0003176745.tif 000009
【図８】
0003176745.tif 000010
【図９】
0003176745.tif 000011